(57)【要約】【課題】円弧状のディスプレイに生じた正反射の迷光に起因するコントラストの低下を抑止する。【解決手段】本開示の一側面である表示装置は、側面に１以上のスリットが設けられた筐体と、前記筐体に内蔵された、略円弧状のディスプレイとを備え、前記筐体が回転されるときに前記ディスプレイに表示される映像が前記スリット越しに視認される表示装置において、前記略円弧状のディスプレイの曲率は、正反射の迷光が生じないように形成されている。本開示は、例えば全周囲立体映像表示装置に適用することができる。【選択図】図５
2013017006.tif 000002
【特許請求の範囲】
【請求項１】
側面に１以上のスリットが設けられた筐体と、
前記筐体に内蔵された、略円弧状のディスプレイと
を備え、前記筐体が回転されるときに前記ディスプレイに表示される映像が前記スリット越しに視認される表示装置において、
前記略円弧状のディスプレイの曲率は、正反射の迷光が生じないように形成されている
表示装置。
【請求項２】
前記ディスプレイ上の任意の点ｓから照射された光が正反射する点をａ、前記ディスプレイの円弧中心をｂ、前記スリットの中心をｃとし、点ｓａｂのなす角をα、点ｂａｃのなす角をβとした場合、常にα＞βを満たす
請求項１に記載の表示装置。
【請求項３】
前記ディスプレイを支持する支持部材を
さらに備え、
前記支持部材には光の反射を低減する反射低減シートが貼付、または塗料が塗布されている
請求項２に記載の表示装置。
【請求項４】
前記筺体は円筒形状を有する
請求項３に記載の表示装置。
【請求項５】
前記略円弧状のディスプレイは前記スリットと同数である
請求項４に記載の表示装置。
【発明の詳細な説明】
【技術分野】
【０００１】
本開示は、表示装置に関し、例えば、大量のLED(light emitting diode)により円弧状のディスプレイを構成するようにした表示装置に関する。
【背景技術】
【０００２】
従来、テレビジョン受像機などに採用されている平面ディスプレイに立体視可能な映像を表示する３次元表示技術が存在する。この３次元表示技術は、例えば、ディスプレイを見る人の左右の眼の視差を利用するものがある。具体的には、例えば、平面ディスプレイに左目用の画像と右目用の映像を交互に表示し、さらに偏光フィルタなどを介することにより、左目には左目用の映像だけが、右目には右目用の映像だけが見られるようにして立体視を実現している。
【０００３】
これに対して、被写体（表示されるオブジェクト）を中心とする円周上に設けられた複数の視点から撮像した（または、コンピュータグラフィックスによりオブジェクトを全周囲から見た状態を想定して生成した）視点の異なる複数の画像（以下、視点画像と称する）を用い、全周囲の任意の方向から見てもオブジェクトを立体的に視認できるように表示を行う全周囲立体映像表示装置が数多く提案されている（例えば、特許文献１または２参照）。
【０００４】
これらの全周囲立体映像表示装置は、その筐体が円筒形状を成しており、筐体の内部には大量の小型のLED(light emitting diode)を配置して構成された円弧状のディスプレイが、筐体の側面にはスリットが設けられているおり、ディスプレイの映像がスリット越しに筐体の外部から視認できるようになされている。そして、筐体がモータにより高速回転されることにより、円筒形状の筐体側面を任意の方向から見るユーザに対して、ディスプレイに表示されたオブジェクトが立体的に視認できるようになされている。
【先行技術文献】
【特許文献】
【０００５】
【特許文献１】特開２００４−１７７７０９号公報
【特許文献２】特開２００５−１１４７７１号公報
【発明の概要】
【発明が解決しようとする課題】
【０００６】
上述したように、全周囲立体映像表示装置では、ディスプレイが円弧状に形成されていることに起因し、映像としてディスプレイのある位置から照射された光がディスプレイ上の他の位置で正反射することが有り、その反射光がスリットを介してユーザから視認されること（以下、正反射の迷光と称する）が生じ得る。この場合、反射した位置付近が本来の明るさよりも明るく見えてしまうので、映像としてのコントラストが低下してしまうことがあった。
【０００７】
本開示はこのような状況に鑑みてなされたものであり、円弧状のディスプレイに生じた正反射の迷光に起因するコントラストの低下を抑止できるようにするものである。
【課題を解決するための手段】
【０００８】
本開示の一側面である表示装置は、側面に１以上のスリットが設けられた筐体と、前記筐体に内蔵された、略円弧状のディスプレイとを備え、前記筐体が回転されるときに前記ディスプレイに表示される映像が前記スリット越しに視認される表示装置において、前記略円弧状のディスプレイの曲率は、正反射の迷光が生じないように形成されている。
【０００９】
前記ディスプレイ上の任意の点ｓから照射された光が正反射する点をａ、前記ディスプレイの円弧中心をｂ、前記スリットの中心をｃとし、点ｓａｂのなす角をα、点ｂａｃのなす角をβとした場合、常にα＞βを満たすようにすることができる。
【００１０】
本開示の一側面である表示装置は、前記ディスプレイを支持する支持部材をさらに備えることができ、前記支持部材には光の反射を低減する反射低減シートが貼付、または塗料が塗布されているようにすることができる。
【００１１】
前記筺体は円筒形状を有するようにすることができる。
【００１２】
前記略円弧状のディスプレイは前記スリットと同数であるようにすることができる。
【００１３】
本開示の一側面においては、略円弧状のディスプレイの曲率が正反射の迷光を生じないように形成されている。
【発明の効果】
【００１４】
本開示の一側面によれば、円弧状のディスプレイに生じた正反射の迷光に起因するコントラストの低下を抑止することができる。
【図面の簡単な説明】
【００１５】
【図１】本開示の実施の形態である全周囲立体映像表示装置の外観図である。
【図２】全周囲立体映像表示装置の水平方向の断面略図である。
【図３】曲率Ｒ＝１／１８mmのディスプレイを示す図である。
【図４】曲率Ｒ＝１／２８mmのディスプレイを示す図である。
【図５】曲率Ｒ＝１／２５mmのディスプレイを示す図である。
【図６】ディスプレイの最適な曲率について説明するための図である。
【図７】ディスプレイに支持部材が設けられている場合を示す図である。
【発明を実施するための形態】
【００１６】
以下、発明を実施するための最良の形態（以下、実施の形態と称する）について、図面を参照しながら詳細に説明する。
【００１７】
＜１．実施の形態＞
［全周囲立体映像表示装置の構成例］
図１は、実施の形態である全周囲立体映像表示装置の外観を示している。この全周囲立体映像表示装置１０は、台座となる固定部１１と、高速回転される円筒形状の回転部１２から構成される。
【００１８】
全周囲立体映像表示装置１０は、高速回転される回転部１２を任意の方向から見たユーザが立体的に視認できるオブジェクトを、回転部１２の内部中央に出現させる（表示させる）。
【００１９】
固定部１１は、回転部１２が高速回転されている状態であっても全周囲立体映像表示装置１０が移動しない程度に十分な重量を有している。回転部１２は、その円筒状の側面に複数のスリット１３が設けられており、その内部にはスリット１３と同数のディスプレイ２１が設けられている。本実施の形態の場合、スリット１３およびディスプレイ２１の数は３である。ただし、スリット１３およびディスプレイ２１の数は３に限定されるものではなく、例えば、２または４以上としてもよい。
【００２０】
図２は、回転部１２の水平方向の断面を示している。
【００２１】
回転部１２の内部には、回転軸２２を中心として円弧上に形成されたディスプレイ２１−１乃至２１−３が設けられる。各ディスプレイ２１の表示面には、大量の小型のLEDが配置される。ディスプレイ２１−ｉ（ｉ＝１，２，３）の映像は、回転部１２の外部から、スリット１３−ｉを介して視認される。
【００２２】
ところで、円弧状に形成されたディスプレイ２１の曲率Ｒ（＝１／ｒ（ｒは円弧の半径））が大きいと、上述したように、正反射の迷光が生じ得るので、これが生じ得ない曲率Ｒでディスプレイ２１を形成する必要がある。
【００２３】
[ディスプレイの曲率について]
以下、ディスプレイ２１の曲率Ｒについて考察する。
【００２４】
図３は、ディスプレイ２１の曲率ＲをＲ＝１／１８mmとした場合を示している。この場合、図示するように正反射の迷光が発生してしまうので、ディスプレイ２１の端部のコントラストが低下してしまうことになる。
【００２５】
次に、図４は、ディスプレイ２１の曲率ＲをＲ＝１／２８mmとした場合を示している。この場合、図示するように、正反射は生じるものの、その反射光がスリット１３から視認されることはないので、ディスプレイ２１の端部のコントラストの低下は抑止される。
【００２６】
図３および図４から明らかなように、ディスプレイ２１の最適な曲率Ｒは、Ｒ＝１／１８mmからＲ＝１／２８mmの間にあるものと推察され、この推察に基づいてディスプレイ２１の曲率Ｒを変更した結果、曲率Ｒ＝１／２５mm以下のディスプレイ２１において正反射の迷光が発生しないことが確認された。
【００２７】
図５は、ディスプレイ２１の曲率ＲをＲ＝１／２５mmとした場合を示している。この場合、生じた正反射の反射光がスリット１３から視認されることはないので、ディスプレイ２１のコントラストの低下は抑止される。
【００２８】
[ディスプレイの理想的な曲率の一般化について]
図６は、ディスプレイ２１の最適な曲率Ｒを一般化して示している。ディスプレイ２１上の任意の点ｓから照射された光が、ディスプレイ２１上で正反射する点をａ、円弧中心をｂ、スリット１３の中心をｃとし、点ｓａｂのなす角をα、点ｂａｃのなす角をβとした場合、α＞βを常に満たすことが正反射の迷光を生じさせない条件となる。
【００２９】
上述した図３の場合（Ｒ＝１／１８mm）、α＞βが常に満たされるわけではなく、上記条件を満たさないので理想的な曲率ではない。図４の場合（Ｒ＝１／２８mm）、α＞βが常に満たされるので上記条件を満たす。よって理想的な曲率であるといえる。図５の場合（Ｒ＝１／２５mm）、α＞βが常に満たされるので上記条件を満たす。よって理想的な最小の曲率であるといえる。
【００３０】
[ディスプレイ以外からの正反射の迷光について]
図７は、円弧状のディスプレイ２１に対して、その形状を支持するための支持部材３１が設けられている場合を示している。
【００３１】
同図に示されるように、ディスプレイ２１とスリット１３との間に支持部材３１が存在する場合、ディスプレイ２１から照射され、支持部材３１にて反射した反射光がスリット１３を介して視認されることが起こり得る。この対策としては、支持部材３１の内壁に光の反射を低減する樹脂多孔質などの反射低減シートを貼付したり、塗料を塗布したりすればよい。なお、この貼付は、支持部材３１の内壁のうち、正反射の迷光を生じさせる位置だけでもよい。
【００３２】
なお、本実施の形態においては、ディスプレイ２１の形状を円弧状としたが、その形状は必ずしも厳密な円弧である必要はなく、それに近似した多角形の辺であってもよい。また、円弧、またはそれに近似した多角形の辺の曲率は、その全体が一定値でなくてもよい。
【００３３】
また、本実施の形態においては、全周囲から立体視可能な３Ｄ映像を表示するようにしたが、全周囲からに同じ２Ｄ映像を表示するようにしてもよい。あるいは、全周囲を複数に分割し、分割した数の異なる情報（時刻、ニュース、広告、案内など）を同時に表示するようにしてもよい。
【００３４】
本開示は、LEDアレイ以外のフレキシブルディスプレイ全般に適用することが可能である。
【００３５】
本開示の実施の形態は、上述した実施の形態に限定されるものではなく、本開示の要旨を逸脱しない範囲において種々の変更が可能である。
【符号の説明】
【００３６】
１０  全周囲立体映像表示装置，  １１  固定部，  １２  回転部，  １３  スリット，  ２１  ディスプレイ，  ３１  支持部材
【図１】
2013017006.tif 000003
【図２】
2013017006.tif 000004
【図３】
2013017006.tif 000005
【図４】
2013017006.tif 000006
【図５】
2013017006.tif 000007
【図６】
2013017006.tif 000008
【図７】
2013017006.tif 000009